(57)【要約】本発明は、２Ｔ書き込み戦略が利用される、記録担体の情報層にマークを記録する方法に関する。本発明は更に、前記方法を実行することが可能な記録装置に関する。本発明は、２Ｔ書き込み戦略における利用のために、記録されるべき記録担体用に特に調整された書き込みパラメータが利用可能でない場合に、マークを前記情報層にどのように記録するかという問題に対する解決方法を提供する。
2006511023.tif 000002
【特許請求の範囲】
【請求項１】
記録担体の情報層に、パルス状の放射ビームによって前記情報層を照射することによりマークを記録する方法であって、前記情報層は結晶相と非結晶相との間で可逆変化可能な相を持ち、
ｎＴの時間長を持つ偶数マークが、ｎ／２個のパルスから成るシーケンスによって書き込まれ、ここでｎは４、６、８又は１０に等しい整数値を表し、Ｔは基準クロックの１周期の長さを表し、
ｎＴの時間長を持つ奇数マークが、（ｎ−１）／２個のパルスから成るシーケンスによって書き込まれ、ここでｎは５、７、９又は１１に等しい整数値を表し、
奇数マークを書き込むためのパルスのシーケンス中の最後のパルスが、偶数マークを書き込むためのパルスのシーケンス中の最後のパルスよりも期間Δ１ｐだけ長く、
奇数マークを書き込むためのパルスのシーケンス中の最後のパルスに先行するギャップが、偶数マークを書き込むためのパルスのシーケンス中の最後のパルスに先行するギャップよりも期間Δ１ｇだけ長く、
奇数マークを書き込むためのパルスのシーケンス中の最後のパルスに後続する冷却ギャップが、偶数マークを書き込むためのパルスのシーケンス中の最後のパルスに後続する冷却ギャップよりも期間Δ２だけ長く、
前記期間Δ１ｐ、Δ１ｇ及びΔ２の合計が、０．７Ｔ乃至１．１Ｔの範囲内である方法。
【請求項２】
前記期間Δ１ｐとΔ１ｇとの合計が、０．２５Ｔ乃至０．７５Ｔの範囲内である、請求項１に記載の方法。
【請求項３】
前記期間Δ１ｐは前記期間Δ１ｇに略等しい、請求項１又は２に記載の方法。
【請求項４】
３Ｔの時間長を持つマークが、偶数マークを書き込むためのパルスのシーケンス中の最後のパルスよりも期間Δ３だけ長い単一のパルスによって書き込まれ、
後続する冷却ギャップが、偶数マークを書き込むためのパルスのシーケンス中の最後のパルスに後続する冷却ギャップよりも期間Δ４だけ長く、
前記期間Δ３とΔ４との合計が、０．７Ｔ乃至１．１Ｔの範囲内である、請求項１に記載の方法。
【請求項５】
偶数マークを書き込むためのパルスのシーケンス中の最後のパルスの継続時間が、略７．２ｎｓに等しく、
前記期間Δ１ｐは、２／８Ｔに略等しい継続時間を持ち、
前記期間Δ１ｇは、２／８Ｔに略等しい継続時間を持ち、
偶数マークを書き込むためのパルスのシーケンス中の最後のパルスに後続する冷却時間の継続時間は、５／８Ｔに略等しく、
前記期間Δ２は、３／８Ｔに略等しい継続時間を持ち、
前記期間Δ３は、７／８Ｔ−７．２ｎｓに略等しい継続時間を持ち、
前記期間Δ４は、５／８Ｔに略等しい継続時間を持つ、請求項４に記載の方法。
【請求項６】
前記基準クロックの周期の開始に対する、３Ｔの時間長を持つマークを書き込むための単一のパルスの開始は、前記基準クロックの周期の開始に対する、偶数マークを書き込むためのパルスのシーケンスの最初のパルスの開始に対応する、請求項５に記載の方法。
【請求項７】
記録担体の情報層に、パルス状の放射ビームによって前記情報層を照射することによりマークを記録する記録装置であって、各前記マークは１以上のパルスのシーケンスによって書き込まれ、前記情報層は結晶相と非結晶相との間で可逆変化可能な相を持ち、前記装置は、
前記放射ビームを供給する放射源と、
ｎＴの時間長を持つ偶数マークが、ｎ／２個のパルスから成るシーケンスによって記録され、ここでｎは４、６、８又は１０に等しい整数値を表し、Ｔは基準クロックの１周期の長さを表し、ｎＴの時間長を持つ奇数マークが、（ｎ−１）／２個のパルスから成るシーケンスによって書き込まれ、ここでｎは５、７、９又は１１に等しい整数値を表し、
奇数マークを書き込むためのパルスのシーケンス中の最後のパルスが、偶数マークを書き込むためのパルスのシーケンス中の最後のパルスよりも期間Δ１ｐだけ長く、
奇数マークを書き込むためのパルスのシーケンス中の最後のパルスに先行するギャップが、偶数マークを書き込むためのパルスのシーケンス中の最後のパルスに先行するギャップよりも期間Δ１ｇだけ長く、
奇数マークを書き込むためのパルスのシーケンス中の最後のパルスに後続する冷却ギャップが、偶数マークを書き込むためのパルスのシーケンス中の最後のパルスに後続する冷却ギャップよりも期間Δ２だけ長く、
前記期間Δ１ｐ、Δ１ｇ及びΔ２の合計が、０．７Ｔ乃至１．１Ｔの範囲内であるように、前記放射ビームのパワーを制御し、前記マークを記録するためのパルスのシーケンスを供給するように動作可能な制御ユニットと、
を有する記録装置。
【請求項８】
記録担体の情報層に、パルス状の放射ビームによって前記情報層を照射することによりマークを記録する記録装置であって、各前記マークは１以上のパルスのシーケンスによって書き込まれ、前記情報層は結晶相と非結晶相との間で可逆変化可能な相を持ち、前記記録装置は、
前記放射ビームを供給する放射源と、
前記放射ビームのパワーを制御し、前記マークを記録するためのパルスのシーケンスを供給するように動作可能な制御ユニットとを有し、パルスのシーケンス中のパルスとパルス間のギャップとのパターンは、前記制御ユニットに供給される書き込みパラメータの設定に基づき、前記記録装置は更に、
前記記録担体を識別するように動作可能な識別ユニットと、
前記記録担体の前記識別に基づいて書き込みパラメータの設定の集合から書き込みパラメータの設定を選択し、前記選択された書き込みパラメータの設定を前記制御ユニットに供給するように動作可能な選択ユニットとを有し、
前記選択ユニットは更に、前記識別ユニットが前記記録担体を識別できない場合、及び／又は前記選択ユニットが前記記録担体の前記識別に基づいて前記書き込みパラメータの設定の集合から書き込みパラメータの設定を選択できない場合に、書き込みパラメータの既定の設定を前記制御ユニットに供給するように動作可能であり、
前記書き込みパラメータの既定の設定は、
ｎＴの時間長を持つ偶数マークが、ｎ／２個のパルスから成るシーケンスによって記録され、ここでｎは４、６、８又は１０に等しい整数値を表し、Ｔは基準クロックの１周期の長さを表し、ｎＴの時間長を持つ奇数マークが、（ｎ−１）／２個のパルスから成るシーケンスによって書き込まれ、ここでｎは５、７、９又は１１に等しい整数値を表し、
奇数マークを書き込むためのパルスのシーケンス中の最後のパルスが、偶数マークを書き込むためのパルスのシーケンス中の最後のパルスよりも期間Δ１ｐだけ長く、
奇数マークを書き込むためのパルスのシーケンス中の最後のパルスに先行するギャップが、偶数マークを書き込むためのパルスのシーケンス中の最後のパルスに先行するギャップよりもΔ１ｇだけ長く、
奇数マークを書き込むためのパルスのシーケンス中の最後のパルスに後続する冷却ギャップが、偶数マークを書き込むためのパルスのシーケンス中の最後のパルスに後続する冷却ギャップよりも期間Δ２だけ長く、
前記期間Δ１ｐ、Δ１ｇ及びΔ２の合計が、０．７Ｔ乃至１．１Ｔの範囲内であるような設定である記録装置。
【請求項９】
前記期間Δ１ｐとΔ１ｇとの合計が、０．２５Ｔ乃至０．７５Ｔの範囲内である、請求項７又は８に記載の記録装置。
【請求項１０】
前記制御ユニットは更に、３Ｔの時間長を持つマークを記録するためのパルスのシーケンスを供給するように動作可能であり、
前記３Ｔの時間長を持つマークを記録するためのパルスのシーケンスは、偶数マークを書き込むためのパルスのシーケンス中の最後のパルスよりも期間Δ３だけ長い単一のパルスを有し、
後続する冷却ギャップが、偶数マークを書き込むためのパルスのシーケンス中の最後のパルスに後続する冷却ギャップよりも期間Δ４だけ長く、
前記期間Δ３とΔ４との合計が、０．７Ｔ乃至１．１Ｔの範囲内である、請求項７又は８に記載の記録装置。
【発明の詳細な説明】
【技術分野】
【０００１】
本発明は、記録担体の情報層に、パルス状の放射ビームによって前記情報層を照射することによりマークを記録する方法であって、前記情報層は結晶相と非結晶相との間で可逆変化可能な相を持ち、ｎＴの時間長を持つ偶数マークが、ｎ／２個のパルスから成るシーケンスによって書き込まれ、ここでｎは４、６、８又は１０に等しい整数値を表し、Ｔは基準クロックの１周期の長さを表し、ｎＴの時間長を持つ奇数マークが、（ｎ−１）／２個のパルスから成るシーケンスによって書き込まれ、ここでｎは５、７、９又は１１に等しい整数値を表す方法に関する。
【０００２】
本発明はまた、上述の方法を実行することが可能な、記録担体の情報層にマークを記録する記録装置であって、前記記録担体は、結晶相と非結晶相との間で可逆変化可能な相を持つ情報層を有する記録装置に関する。
【背景技術】
【０００３】
結晶相と非結晶相との間で可逆変化可能な相を持つ情報層は、一般に相変化層として知られている。かような相変化層はしばしば、例えば再書き込み可能なＣＤ（CD-ReWritable、CD-RW）ディスクのような再書き込み可能なタイプの光記録担体において利用される。光信号の記録動作は、放射ビームの照射条件を変化させることにより、前記層上の記録物質が、非結晶相と結晶相との間を可逆的に相変化させられるような方法で実行され、これにより前記信号を前記相変化層に記録する。一方前記記録された信号の再生動作は、前記相変化層の非結晶相と結晶相との間の光学特性の相違を検出することにより実行され、これにより前記信号を再生する。かような相変化層は、前記放射ビームのパワーを書き込みパワーレベルと消去パワーレベルとの間で変調させることにより、情報が記録及び消去されることを可能とする。
【０００４】
記録担体の相変化層に情報を記録するための前文による方法は、米国特許US5,732,062より知られている。マークは、書き込みパワーレベルを持ち、パルス間ではバイアスパワーレベルを持つ、パルスのシーケンスによって記録される。記録されたマーク間の、以前に記録されたマークは、パルスのシーケンスの間に消去パワーレベルを適用することにより消去され、かくして本方法が直接上書き（ＤＯＷ）モードで利用されることを可能としている。該モードは、記録されるべき情報を記録担体の情報層に記録し、同時に前記情報層に以前に記録された情報を消去するモードである。
【０００５】
ｎＴの時間長を持つマークを書き込むためのパルスのシーケンスは、ｎが偶数の整数である場合には（ｎ／２）個のパルスから成り（これらのマークを偶数マークと呼ぶ）、ｎが奇数の整数である場合には前記シーケンスは（ｎ−１）／２個のパルスから成る（これらのマークを奇数マークと呼ぶ）。１つのパルスは基準クロックの２サイクル毎に生成されるため、マークを記録する本方法はしばしば２Ｔ書き込み戦略（write strategy）と呼ばれる。当該方法は、例えばマークが（ｎ−１）個のパルスのシーケンスにより書き込まれる米国特許US5,732,062に記載された方法のような、基準クロック毎にパルスが生成される、マークを記録する知られた方法とは対照的である。後者の方法は、しばしば１Ｔ書き込み戦略と呼ばれる。
【０００６】
２Ｔ書き込み戦略において、共に同一の数のパルスによって書き込まれた奇数マークを偶数マークから区別するために、パルスのシーケンス中のパルスとパルス間のギャップとのパターン、即ちパルス列の形状が、奇数Ｔ長マークと偶数Ｔ長マークとで形状を異にする。奇数マークを書き込むためのパルス列の当該形状は、例えばパルスのシーケンス中の１以上のパルスの継続時間において、又はパルスのシーケンス中のパルス間の１以上のギャップの継続時間において、偶数マークを書き込むためのパルス列の形状とは異なる。
【０００７】
かような２Ｔ書き込み戦略は、「Ultra-Speed Compact Disc Rewritable」仕様書（「Recordable Compact Disc Systems, Part III: CD-RW、Volume 3: Ultra-Speed, Version 1.0」）に規定されている。ここでは、偶数及び奇数並びに別個に規定された３Ｔマーク長に分割された書き込み戦略が規定されている。偶数マークは、ｎ／２個のパルスのシーケンスを適用することにより書き込まれる。偶数マークを書き込むためのシーケンス中の最初のパルスは、ＥＦＭ信号の開始の１Ｔだけ後において、基準クロックのクロック端において開始する。偶数マークを書き込むためのシーケンス中の最後のパルスはＴｐの継続時間を持ち、Ｔｃの継続時間を持つ冷却ギャップにより後続される。奇数マークは、（ｎ−１）／２個のパルスのシーケンスを適用することにより書き込まれる。奇数マークを書き込むためのシーケンスの最初のパルスもまた、ＥＦＭ信号の開始の１Ｔだけ後において、基準クロックのクロック端において開始する。奇数マークを書き込むためのシーケンス中の最後のパルスはＴｐ＋Δ１の継続時間を持ち、Ｔｃ＋Δ２の継続時間を持つ冷却ギャップにより後続される。更に、奇数マークを書き込むためのパルスのシーケンス中の最後のパルスに先行するギャップは、偶数マークを書き込むためのパルスのシーケンス中の最後のパルスに先行するギャップよりも、期間Δ１だけ長い。上述の「Ultra-speed Compact Disc Rewritable」仕様によれば、各シーケンスの最後のパルスの前の、パルスのシーケンス中の全てのパルスは、偶数マークを書き込むためのパルスのシーケンス中の最後のパルスの継続時間、即ち継続時間Ｔｐに等しい継続時間を持つことに留意されたい。
【０００８】
３Ｔの時間長を持つマークは、単一のパルス及び続く冷却ギャップによって書き込まれる。前記単一のパルスはＴｐ＋Δ３の継続時間を持ち、偶数マークを書き込むためのパルスのシーケンス中の最初のパルスの開始に対してΔＴ３だけ遅延させられる。前記単一のパルスの後の冷却ギャップは、Ｔｃ＋Δ４の継続時間を持つ。
【０００９】
パルスのシーケンス中のパルスのパワーレベルは書き込みパワーレベル（Ｐｗ）と呼ばれ、一方シーケンス中のパルス間のパワーレベルはバイアスパワーレベル（Ｐｂ）と呼ばれる。更に、パルスの各シーケンス間のパワーレベルは、消去パワーレベル（Ｐｅ）と呼ばれる。
【発明の開示】
【発明が解決しようとする課題】
【００１０】
記録されたマークが優れた品質のものとなるためには、即ち所定の値より低いジッタを持つためには、２Ｔ書き込み戦略のための書き込みパラメータ（Ｔｐ、Ｔｃ、Δ１、Δ２、Ｔｐ＋Δ３＝Ｔ３、ΔＴ３、及びＴｃ＋Δ４＝ＴＣ３）は少なくとも、前記「Ultra-Speed Compact Disc Rewritable」仕様において規定された所定の範囲内であるべきである。しかしながら、これらの書き込みパラメータのための実際の値は、記録担体の特定のタイプ及び製造者に大きく依存する。
【００１１】
以前に利用されていた１Ｔ書き込み戦略については、該戦略の書き込みパラメータの最適値が、各個別の記録担体に予め記録されていた。情報を記録する前に、これらの最適値が記録装置によって記録担体から読み取られ、前記記録装置において適切な１Ｔ書き込み戦略を設定するために利用された。しかしながら現在の２Ｔ書き込み戦略については、該戦略の書き込みパラメータの最適値は記録担体に予め記録されていない。その代わりに、記録装置が、記録担体上の媒体識別子から、前記記録担体の製造者及び媒体タイプを決定する必要がある。記録担体が前記記録担体に挿入されたときに、前記記録担体は、該記録担体の媒体識別子によって識別され、書き込みパラメータの適切な設定が、該記録装置自体に配置されたルックアップテーブルから選択される。かようなルックアップテーブルはディスクドライブの製造者によって提供され、該ドライブの製造者に知られた記録担体の各個別のタイプについての書き込みパラメータの最適な設定を含む。新たな記録担体が売り出されたときには、前記記録装置中のルックアップテーブルは更新されるべきである。
【００１２】
しかしながら、記録装置に前記記録装置よって識別されることができない記録担体が挿入された場合、又は書き込みパラメータの設定がルックアップテーブルにおいて利用可能でない場合、該記録装置は該記録担体に情報を記録することができない。なぜなら、該記録装置は適切な２Ｔ書き込み戦略を設定することができないからである。
【００１３】
本発明の目的は、最初のパラグラフに記載された種類の方法及び記録装置であって、前記記録担体が識別されることができない場合であっても、又は書き込みパラメータの設定が利用可能でない場合であっても、優れた品質の記録されたマーク（即ち、所定の範囲内のジッタを持つ）に帰着する方法及び記録装置を提供することにある。
【課題を解決するための手段】
【００１４】
本目的は、請求項１に記載の方法及び請求項７に記載の記録装置を提供することにより達成される。ここでは、期間Δ１ｐ、Δ１ｇ及びΔ２の合計が、０．７Ｔ乃至１．１Ｔの範囲内である。ｍＴ偶数マークを書き込むためのシーケンスが１Ｔに近い継続時間を持つ全体の期間だけ延長される場合に、（ｍ＋１）Ｔ奇数マークを書き込むための優れたシーケンスが得られるであろう。このことは、期間Δ１ｐ、Δ１ｇ及びΔ２を、これらの合計が０．７Ｔ乃至１．１Ｔの範囲内となるように設定することにより実現される。
【００１５】
上述の「Ultra-speed Compact Disc Rewritable」仕様によれば、期間Δ１ｐとΔ１ｇとは等しい継続時間（Δ１と示される）を持つことに留意されたい。しかしながら、これらの期間が等しくない継続時間を持つことを許容することにより、優れた品質のマークが得られるように２つの書き込みパラメータが最適化されることができる、より柔軟な書き込み戦略が得られる。
【００１６】
本発明の実施例においては、期間Δ１ｐとΔ１ｇとの合計は、０．２５Ｔ乃至０．７５Ｔの範囲内である。期間Δ１ｐが長すぎる場合、パルスのシーケンス中の最後のパルスが記録担体における過度の熱を引き起こし、書き込まれているマークの末端の近くにおいて再結晶化効果（即ち非結晶エリアの再結晶化）に帰着し、続いて短すぎる記録されたマークに帰着する。期間Δ１ｇが長すぎる場合には、過度な冷却によって引き起こされる不規則な幅（即ち、例えばディスク型の記録担体上の径方向のような、走査方向に垂直な方向における形状）を持つマークに帰着する。優れた品質のマークは、期間Δ１ｐとΔ１ｇとの合計が０．２５Ｔ乃至０．７５Ｔの範囲内である場合に得られるであろう。
【００１７】
本発明の好適な実施例においては、期間Δ１ｐは期間Δ１ｇに略等しい。期間Δ１ｐと期間Δ１ｇとが略等しい継続時間のものとなるように選択された場合には、パルスのシーケンス中の延長された最後のパルスによって引き起こされる付加的な熱が、シーケンス中の最後のパルスの前の延長されたギャップによって、特に良く均衡したものとなるであろう。特に優れた品質のマークが、書き込まれているマークの末端におけるかなりの再結晶を伴うことなく、及び書き込まれているマークの幅のかなりの不規則性を伴うことなく得られる。
【００１８】
本発明の実施例においては、３Ｔの時間長を持つマークが、単一のパルス及び続く冷却ギャップによって書き込まれる。３Ｔマークを書き込むための当該シーケンスが、偶数マークを書き込むためのパルスのシーケンス中の単一のパルスとそれに続く冷却ギャップとの継続時間に比べて１Ｔに近い継続時間を持つ時間だけ延長される場合、３Ｔマークを書き込むための優れたシーケンスが得られるであろう。このことは、前記単一のパルスが、偶数マークを書き込むためのパルスのシーケンス中の最後のパルスよりも期間Δ３だけ長く、且つ続く冷却ギャップが、偶数マークを書き込むためのパルスのシーケンス中の最後のパルスに後続する冷却ギャップよりも期間Δ４だけ長く、期間Δ３とΔ４との合計が０．７Ｔ乃至１．１Ｔの範囲内である場合に実現される。
【００１９】
本発明の好適な実施例においては、偶数マークを書き込むためのパルスのシーケンス中の最後のパルスの継続時間（Ｔｐ）が略７．２ｎｓに等しく、期間Δ１ｐは２／８Ｔに略等しい継続時間を持ち、期間Δ１ｇが２／８Ｔに略等しい継続時間を持ち、偶数マークを書き込むためのパルスのシーケンス中の最後のパルスに後続する冷却ギャップの継続時間（Ｔｃ）が５／８Ｔに略等しく、期間Δ２が３／８Ｔに略等しい継続時間を持ち、期間Δ３が７／８Ｔ−７．２ｎｓ（１６倍速において３／８Ｔに等しい）に略等しい継続時間を持ち、期間Δ４が５／８Ｔに略等しい継続時間を持つように、２Ｔ書き込み戦略のための書き込みパラメータについての値が選択される。書き込みパラメータ設定の当該選択により、殆どの記録担体に優れた品質のマークが記録される。このことは、１６倍速で、即ちCD-ReWritable仕様による標準的な記録速度の１６倍でUltra-Speed CD-RWディスクに対して記録が実行される場合に、特に成り立つ。ここでは、Ultra-Speed CD-RWディスクが２４倍速のような、１６倍速よりも速い最大記録速度を持つように規定された場合であっても、優れた品質のマークが得られる。
【００２０】
基準クロックの期間の開始に対する、３Ｔの時間長を持つマークを書き込むための単一のパルスの開始が、基準クロックの期間の開始に対する、偶数マークを書き込むためのパルスのシーケンス中の最初のパルスの開始に対応する場合、記録されたマークの品質の更なる改善が得られる。
【００２１】
本発明の目的は代替として、記録担体を識別するように動作可能な識別ユニットと、前記記録担体の識別に基づいて書き込みパラメータの設定の集合から書き込みパラメータの設定を選択するように動作可能な選択ユニットとを有する、請求項８に記載の記録装置によって達成される。記録担体が前記記録装置に挿入されたとき、前記記録担体は前記識別ユニットによって（例えば該媒体の媒体識別子によって）識別され、書き込みパラメータの設定の集合から書き込みパラメータの適切な設定が前記選択ユニットによって選択される。書き込みパラメータの設定の集合は例えば、前記記録装置自体に設けられたルックアップテーブルに保存されても良い。前記選択ユニットはここでは、書き込みパルスのシーケンスを供給するように動作可能な制御ユニットに、前記書き込みパラメータの適切な設定を供給する。しかしながら、前記識別ユニットが前記記録担体を識別することができない場合、又は例えば当該記録担体についてのかような設定が前記ルックアップテーブルに保存されていなかったために、前記選択ユニットが前記書き込みパラメータの設定の集合から書き込みパラメータの適切な設定を選択することができない場合、前記選択ユニットは、前記制御ユニットが本発明によるいずれかの方法によるパルスのシーケンスを供給するような書き込みパラメータの設定を前記制御ユニットに供給する。これらの設定を利用して、前記記録担体が識別されることができない場合、又は特定の書き込みパラメータの設定が利用可能でない場合であっても、前記記録装置は前記記録担体に情報を記録することが可能となる。
【００２２】
本発明のこれらの及び他の目的、特徴及び利点は、添付する図において示されるような、本発明の実施例のより具体的な以下の説明から明らかとなるであろう。
【発明を実施するための最良の形態】
【００２３】
図１Ａ及び２Ａは、ディジタルデータ信号１０４及び１０５を時間の関数として示す。これらのディジタルデータ信号の値は、記録担体３０の情報層３０１（図５を参照）に記録されるべきマークの長さを表す。縦の点線は、前記データ信号に関連する基準クロック信号における遷移を示す。当該基準クロックの１周期は、チャネルビット周期とも呼ばれ、Ｔによって示される。図１Ａは、４Ｔマーク、即ち基準クロックの４周期の継続時間の書き込み速度倍に略等しい長さを持つマークとして記録されるべき、ディジタルデータ信号１０４を示す。図２Ａは、５Ｔマーク、即ち基準クロックの５周期の継続時間の書き込み速度倍に略等しい長さを持つマークとして記録されるべき、ディジタルデータ信号１０５を示す。
【００２４】
図１Ｂ及び２Ｂは、ディジタルデータ信号１０４及び１０５に関連する制御信号２０４及び２０５を示す。これらの制御信号は、放射ビームのパワーを制御するために利用される。ここで、前記放射ビームのパワーは、前記制御信号の対応するレベルに比例すると仮定する。マークは、書き込みパワーレベルＰｗを持ち、パルス間においてはバイアスパワーレベルＰｂを持つ、パルスのシーケンスによって記録される。記録されているマーク間の以前に記録されたマークは、消去パワーレベルＰｅを適用することにより消去される。
【００２５】
４Ｔの時間長を持つマーク、及び５Ｔの時間長を持つマークが、２Ｔ書き込み戦略によって記録されるべき場合、両方のマークとも、２つのパルスから成るパルスのシーケンスにより記録される。図１Ｂは、４Ｔマークを記録するための制御信号２０４を示し、一方図２Ｂは、５Ｔマークを記録するための制御信号２０５を示す。両方のマークとも２つのパルスから成るシーケンスによって記録される。しかしながら５Ｔマークを記録するための制御信号２０５において、４Ｔ信号を記録するための制御信号２０４に比べて、前記シーケンス中の最後のパルスが期間Δ１ｐだけ延長され（従って該パルスの継続時間はＴｐ＋Δ１ｐとなる）、前記最後のパルスに先行するギャップが期間Δ１ｇだけ伸張され、前記最後のパルスに後続する冷却ギャップが期間Δ２だけ延長され（従って該ギャップの継続時間はＴｃ＋Δ２となる）、期間Δ１ｇ、Δ１ｐ及びΔ２の合計が０．７Ｔ乃至１．１Ｔの範囲内である場合に、５Ｔマークのための適切なマーク長が得られる。好適な実施例においては、期間Δ１ｇとΔ１ｐとの合計は０．２５乃至０．７５Ｔの範囲内である。
【００２６】
図３Ａは、４Ｔ乃至１１Ｔの範囲で記録されるべきマークを表すディジタルデータ信号１００を模式的に示す。図３Ｂは、偶数マーク即ち４Ｔ、６Ｔ、８Ｔ及び１０Ｔマークを記録するための対応する制御信号１１０を模式的に示す。一方図３Ｃは、奇数マーク即ち５Ｔ、７Ｔ、９Ｔ及び１１Ｔマークを記録するための対応する制御信号１１１を模式的に示す。２Ｔ書き込み戦略が利用されるため、ｎＴの時間長を持つ偶数マークは、ｎ／２個のパルスによって記録され、ｎＴの時間長を持つ奇数マークは、（ｎ−１）／２個のパルスによって記録される。このことは、２個のパルスから成るシーケンスによって記録される４Ｔ偶数マーク及び５Ｔ奇数マーク、３個のパルスから成るシーケンスによって記録される６Ｔ偶数マーク及び７Ｔ奇数マーク、４個のパルスから成るシーケンスによって記録される８Ｔ偶数マーク及び９Ｔ奇数マーク、並びに５個のパルスから成るシーケンスによって記録される１０Ｔ偶数マーク及び１１Ｔ奇数マークに帰着する。前記偶数マーク及び前記奇数マークの両方について優れた品質の記録されたマーク（即ち、所定の範囲内のジッタを持つ）を得るために、前記奇数マークを記録するためのパルスのシーケンスは、奇数マークを書き込むためのパルスのシーケンス中の最後のパルスが、継続時間Ｔｐを持つ偶数マークを書き込むためのパルスのシーケンス中の最後のパルスよりもΔ１ｐだけ長く、奇数マークを書き込むためのパルスのシーケンス中の最後のパルスに先行するギャップが、偶数マークを書き込むためのパルスのシーケンスにおける最後のパルスに先行するギャップよりもΔ１ｇだけ長く、奇数マークを書き込むためのパルスのシーケンス中の最後のパルスに後続する冷却ギャップが、継続時間Ｔｃを持つ偶数マークを書き込むためのパルスのシーケンス中の最後のパルスに後続する冷却パルスよりもΔ２だけ長く、Δ１ｐ、Δ１ｇ及びΔ２の合計が０．７Ｔ乃至１．１Ｔの範囲内であるように調節される。
【００２７】
本発明の実施例によれば、書き込みパラメータＴｐ、Ｔｃ、Δ１ｇ、Δ１ｐ及びΔ２の値の優れた選択は、Ｔｐ＝７．２ｎｓ、Ｔｃ＝５／８Ｔ、Δ１ｇ＝２／８Ｔ、Δ１ｐ＝２／８Ｔ、Δ２＝３／８Ｔである。
【００２８】
図４Ａは、３Ｔマークとして記録されるべきディジタルデータ信号１０３を示す。３Ｔマークは、ＣＤシステムにおいて良く知られたＥＦＭ（Eight-to-Fourteen Modulation）符号化方式が利用される場合、記録されるべき最も短いマーク長である。参照のため、図４Ｂ（図３Ｂに対応する）は、偶数マークを記録するための制御信号１１０を模式的に示す。図４Ｃは、第１の実施例によるディジタルデータ信号１０３に関連する制御信号２０３を示す。本実施例によれば、３Ｔの時間長を持つマークは、偶数マークを書き込むためのパルスのシーケンス中の最後のパルスよりも期間Δ３だけ長い単一のパルス（従って該パルスの継続時間はＴｐ＋Δ３となる）と、偶数マークを書き込むためのパルスのシーケンス中の最後のパルスに後続する冷却ギャップよりも期間Δ４だけ長い後続する冷却ギャップ（従って該冷却ギャップの継続時間はＴｃ＋Δ４となる）によって書き込まれ、ここで期間Δ３とΔ４との合計は０．７Ｔ乃至１．１Ｔの範囲内である。
【００２９】
３Ｔの時間長を持つマークを書き込むための単一のパルスの開始は、偶数マークを書き込むためのパルスのシーケンス中の最初のパルスの開始に対して、期間ΔＴ３だけ遅延させられる。図４Ｄは、第２の実施例によるディジタルデータ信号１０３に関連する制御信号２１３を示す。本実施例においては、遅延期間ΔＴ３は略ゼロに等しい。そのため、基準クロックの期間の開始に対する、３Ｔの時間長を持つマークを書き込むための単一のパルスの開始は、基準クロックの期間の開始に対する、偶数マークを書き込むためのパルスのシーケンス中の最初のパルスの開始に対応する。
【００３０】
本発明の実施例によれば、書き込みパラメータΔ３及びΔ４の値についての優れた選択は、Δ３＝７／８Ｔ−７．２ｎｓ及びΔ４＝５／８Ｔである。
【００３１】
期間Δ１ｇとΔ１ｐとは異なる継続時間を持っても良いことは留意されたい。しかしながら、本発明の実施例によれば、これら期間は代替として略等しい継続時間（Δ１ｇ＝Δ１ｐ＝Δ１）を持つ。このことは、前記記録装置における単純化された電子回路を可能とする。更に、奇数マークを書き込むためのパルスのシーケンス中の最後のパルスを除く、偶数マーク及び奇数マークを書き込むためのパルスのシーケンス中の全てのパルスが、等しい継続時間Ｔｐを持っても良く、このこともまた前記記録装置における単純化された電子回路を可能とする。
【００３２】
図５は、ディスク型記録担体３０の情報層３０１にマークを記録するための、本発明による記録装置の実施例を示す。情報層３０１は所謂相変化型のものである。即ち該層は、結晶相と非結晶相との間で可逆変化可能な相を持つ。前記記録担体は、モータ３４によって該担体の中心のまわりに回転させられる。例えばレーザ光源のような放射源３１により放射ビームが生成され、レンズ３３によって前記情報層にフォーカスされる。
【００３３】
放射源３１によって生成される放射ビーム３２のパワーは、制御ユニット６２によって供給される制御信号ＳＣによって制御される。ここで、放射ビーム３２のパワーは、制御信号ＳＣの対応するレベルに比例すると仮定される。かような制御信号ＳＣの例は、図１Ｂ、２Ｂ、３Ｂ、３Ｃ、４Ｃ及び４Ｄに見出される。
【００３４】
制御ユニット６２は、記録担体３０の情報層３０１に記録されるべきマークの長さを表すディジタルデータ信号ＳＤを、対応する制御信号ＳＣに変換する。当該変換は、所謂書き込み戦略に基づく。本発明による２Ｔ書き込み戦略においては、ｎＴの時間長を持つ偶数マークを表すディジタルデータ信号ＳＤは、ｎ／２個のパルスから成るシーケンスを有する制御信号ＳＣに変換される。このときｎは４、６、８又は１０に等しい整数値を表し、Ｔは基準クロックの１周期の長さを表す。一方、ｎＴの時間長を持つ奇数マークを表すディジタルデータ信号ＳＤは、（ｎ−１）／２個のパルスから成るシーケンスを有する制御信号ＳＣに変換される。このときｎは３、５、７、９又は１１に等しい整数値を表す。例として、図１Ａは制御信号１０４を示し、図１Ｂは対応する制御信号２０４を示す。また図４Ａは制御信号１０３を示し、図４Ｄは対応する制御信号２１３を示す。
【００３５】
制御信号ＳＣにおけるパルスとパルス間のギャップとのパターンは、２Ｔ書き込み戦略に関する書き込みパラメータの設定に基づく。当該書き込みパラメータは、選択ユニット６１によって制御ユニット６２に供給される。図５は、選択ユニット６１によって制御ユニット６２に供給される４個の書き込みパラメータΔ１、Δ２、Δ３及びΔ４を模式的に示す。しかしながら代替として、例えばΔ１ｇ及びΔ１ｐが略等しい継続時間を持たず、これら両方が制御ユニット６２に別個に供給されるような場合には、より少ない又はより多い数の書き込みパラメータが、選択ユニット６１によって制御ユニット６２に供給されても良い。前記書き込みパラメータの設定は、識別ユニット６３によって実行された前記記録担体の識別に基づき、書き込みパラメータの設定の集合から選択ユニット６１によって選択される。かような識別は例えば、前記記録担体に保存された媒体識別子に基づいても良い。前記識別の処理自体は先行技術から良く知られており、それ故本明細書においては議論されない。書き込みパラメータの設定の集合は、例えばルックアップテーブル６１１に保存される。
【００３６】
しかしながら、識別ユニット６３が記録担体３０を識別できない場合、又は例えば当該記録担体についての設定がルックアップテーブル６１１に保存されていなかったために、選択ユニット６１が書き込みパラメータの設定の集合から適切な書き込みパラメータの設定を選択できない場合には、選択ユニット６１は、制御ユニット６２に、書き込みパラメータの既定の設定を供給する。該既定の設定は例えば、既定書き込みパラメータテーブル６１２に保存されている。これにより制御ユニット６２は、本発明による方法のうちの１つによる制御信号ＳＤを供給する。
【図面の簡単な説明】
【００３７】
【図１】４Ｔ偶数マークを記録するための、ディジタルデータ信号と放射ビームのパワーを制御するための制御信号との時間依存性の図を示す。
【図２】５Ｔ奇数マークを記録するための、ディジタルデータ信号と放射ビームのパワーを制御するための制御信号との時間依存性の図を示す。
【図３】偶数マーク及び奇数マークを記録するための、ディジタルデータ信号と放射ビームのパワーを制御するための制御信号との時間依存性の模式的な図を示す。
【図４】３Ｔ偶数マークを記録するための、ディジタルデータ信号と放射ビームのパワーを制御するための制御信号との時間依存性の図を示す。
【図５】本発明の実施例による記録装置を示す。
【図１】
2006511023.tif 000003
【図２】
2006511023.tif 000004
【図３】
2006511023.tif 000005
【図４】
2006511023.tif 000006
【図５】
2006511023.tif 000007
【国際調査報告】
2006511023.tif 000008
2006511023.tif 000009
2006511023.tif 000010
2006511023.tif 000011
2006511023.tif 000012